(57)【特許請求の範囲】
【請求項１】
ゴミ収集車等の適宜回収車の後部開口部分の下桟部分等に取外し可能に設置されて、使用済みペットボトルを圧潰してから回収車内に送給できるようにした回収車搭載用ペットボトル圧潰装置であって、使用済みペットボトルが投入可能となるホッパー部と、回収車の後部開口部分に配されて、ホッパー部から供給される使用済みペットボトルを圧潰すると共に、圧潰したペットボトルを回収車内に送給する圧潰部とを備え、圧潰部は、基枠と、この基枠内上下に配されると共に、回転自在に横架される一対の平行な切込圧潰ローラと、この一対の切込圧潰ローラを所定向きに回転せしめるモーターとを備え、切込圧潰ローラは、駆動軸と、この駆動軸に固定される複数の切込刃とで構成され、切込刃の外周部分には、ペットボトルに孔明け可能な複数の突出刃部が所定間隔で配され、ホッパー部は、一対の左右側板と、背板と、底板とを有し、一対の側板は圧潰部の後部に連設され、この一対の側板の前がわ上部及び前部寄り上部は背板で連結され、一対の側板の下部には適数の適宜横架材が連結され、この横架材の上に載置可能となるよう揺動自在に装着される底板によって、一対の側板の下部を塞げるように構成され、ホッパー部の前がわ下部が開口されていると共に、圧潰部に連通されており、ホッパー部の後がわ上部及び後部寄り上部が開口されており、この開口部分がペットボトルの投入口となるように構成され、底板は、その基端部分が一対の側板或いは圧潰部に正逆回転自在に装着される支軸に固着されており、この支軸を支点として先端がわが上下方向に揺動自在となるように形成され、横架材の上に載置されて揺動最下位置にある底板が上方へ揺動することによって、ホッパー部内に予め投入された使用済みペットボトルがホッパー部の前がわ下部の開口を介して圧潰部がわに順次送給されるように構成し、底板の先端部分中央には、適宜係止解除手段が設けられ、この係止解除手段は、底板が横架材の上に載置された時に、横架材に設けた適宜操作片に係脱自在に係止できるように構成されると共に、操作片の操作によって係止状態を解除できるように構成され、ホッパー部の左右側板には、手動操作可能な操作レバー部が左右側板の外方に大きく突出するように停止スイッチが夫々設けられ、支軸の両端部分には、左右側板の外方に配されると共に、略細長帯板状を呈する作動アームの基端部分が夫々固着されて、作動アームは、底板と共に揺動するように形成され、作動アームの先端部分には、引戻しスプリングの一端部分が装着されて、作動アーム及び底板が常時上方に揺動するように引戻しスプリングの弾発力が付勢され、底板が揺動最下位置にある時に、作動アームが停止スイッチの操作レバー部に当接し、停止スイッチがＯＦＦ状態となって、圧潰部のモーターの作動を阻止できるように構成したことを特徴とする回収車搭載用ペットボトル圧潰装置。
【発明の詳細な説明】
【技術分野】
【０００１】
本発明は、主に、適宜回収車（例えば、ゴミ収集車等）によって使用済みペットボトルを回収する際に、回収車の後部開口部分に取外し可能に設置されて、使用済みペットボトルを圧潰して減容した後、回収車内に送給できるようにした回収車搭載用ペットボトル圧潰装置に関するものである。
【背景技術】
【０００２】
従来、この種の回収車搭載用ペットボトル圧潰装置としては、例えば、特許文献１に示すようなペットボトルシュレッダーがあり、このペットボトルシュレッダーは、１対の回転軸の外周に等間隔で溝の深さを同じくし多数の溝を加工し、回転軸をかみ合わせた時、凹と凸がすきまなくはまり合う様にし凸の外周に等分割の多数歯を加工したもので、これを回収車に搭載したものが開示されている。
【０００３】
【特許文献１】特開平１３−１７８８１号公報（図７）
【発明の開示】
【発明が解決しようとする課題】
【０００４】
ところが、前述の如きペットボトルシュレッダーにあっては、使用済みペットボトルを挿入口に投入し難い難点や、ペットボトルシュレッダーが作動して、１対の回転軸が回転している間は、１対の回転軸の回転に細心の注意が必要となる難点等があった。
【０００５】
そこで、本発明は、使用済みペットボトルの圧潰、減容作業がより安全に行えるようにすることを第１の目的とし、更に、使用済みペットボトルを投入し易く、この投入されたペットボトルをスムーズに供給して圧潰できるようにすること等を第２の目的とするものである。
【課題を解決するための手段】
【０００６】
しかして、本発明は、前述の如き課題等を達成すると共に、構成が簡素で、取扱い易く、作業性に優れ、回収車への搭載に最適となるペットボトル圧潰装置を提供すべく創出されたもので、請求項１記載の回収車搭載用ペットボトル圧潰装置にあっては、ゴミ収集車等の適宜回収車Ｃの後部開口部分の下桟部分等に取外し可能に設置されて、使用済みペットボトルを圧潰してから回収車Ｃ内に送給できるようにした回収車搭載用ペットボトル圧潰装置であって、使用済みペットボトルが投入可能となるホッパー部Ａと、回収車Ｃの後部開口部分に配されて、ホッパー部Ａから供給される使用済みペットボトルを圧潰すると共に、圧潰したペットボトルを回収車Ｃ内に送給する圧潰部Ｂとを備え、圧潰部Ｂは、基枠と、この基枠内上下に配されると共に、回転自在に横架される一対の平行な切込圧潰ローラ１０、１１と、この一対の切込圧潰ローラ１０、１１を所定向きに回転せしめるモーター１５とを備え、切込圧潰ローラ１０、１１は、駆動軸１２と、この駆動軸１２に固定される複数の切込刃１３とで構成され、切込刃１３の外周部分には、ペットボトルに孔明け可能な複数の突出刃部１４が所定間隔で配され、ホッパー部Ａは、一対の左右側板１と、背板２と、底板３とを有し、一対の側板１は圧潰部Ｂの後部に連設され、この一対の側板１の前がわ上部及び前部寄り上部は背板２で連結され、一対の側板１の下部には適数の適宜横架材が連結され、この横架材の上に載置可能となるよう揺動自在に装着される底板３によって、一対の側板１の下部を塞げるように構成され、ホッパー部Ａの前がわ下部が開口されていると共に、圧潰部Ｂに連通されており、ホッパー部Ａの後がわ上部及び後部寄り上部が開口されており、この開口部分がペットボトルの投入口となるように構成され、底板３は、その基端部分が一対の側板１或いは圧潰部Ｂに正逆回転自在に装着される支軸４に固着されており、この支軸４を支点として先端がわが上下方向に揺動自在となるように形成され、横架材の上に載置されて揺動最下位置にある底板３が上方へ揺動することによって、ホッパー部Ａ内に予め投入された使用済みペットボトルがホッパー部Ａの前がわ下部の開口を介して圧潰部Ｂがわに順次送給されるように構成し、底板３の先端部分中央には、適宜係止解除手段が設けられ、この係止解除手段は、底板３が横架材の上に載置された時に、横架材に設けた適宜操作片に係脱自在に係止できるように構成されると共に、操作片の操作によって係止状態を解除できるように構成され、ホッパー部Ａの左右側板１には、手動操作可能な操作レバー部が左右側板１の外方に大きく突出するように停止スイッチ７が夫々設けられ、支軸４の両端部分には、左右側板１の外方に配されると共に、略細長帯板状を呈する作動アーム５の基端部分が夫々固着されて、作動アーム５は、底板３と共に揺動するように形成され、作動アーム５の先端部分には、引戻しスプリング６の一端部分が装着されて、作動アーム５及び底板３が常時上方に揺動するように引戻しスプリング６の弾発力が付勢され、底板３が揺動最下位置にある時に、作動アーム５が停止スイッチ７の操作レバー部に当接し、停止スイッチ７がＯＦＦ状態となって、圧潰部Ｂのモーター１５の作動を阻止できるように構成する手段を採用した。
【発明の効果】
【０００７】
従って、本発明の請求項１記載の回収車搭載用ペットボトル圧潰装置によれば、ペットボトルをホッパー部Ａ内に投入すべく底板３が揺動最下位置にある時には、ホッパー部Ａの左右側板１に夫々設けた停止スイッチ７の操作レバー部に作動アーム５が当接して、圧潰部Ｂのモーター１５の作動を確実に阻止できるようになり、使用済みペットボトルの投入作業等がより安全に行えるようになる。
【０００８】
また、ホッパー部Ａの左右側板１には、手動操作可能な操作レバー部が左右側板１の外方に大きく突出するように停止スイッチ７が夫々設けられているので、例えば、緊急時に作業者が近い方の停止スイッチ７の操作レバー部を手指で素早く操作することが可能となり、より安全性の優れたものとなる。
【０００９】
更に、底板３の先端部分中央に適宜係止解除手段を設け、横架材に適宜操作片を設けてあることにより、底板３が横架材の上に載置された時（底板３が揺動最下位置にある時）に、係止解除手段が操作片に係脱自在に係止できるようになる。しかも、操作片の操作によって係止状態を解除できるようになる。
【００１０】
加えて、ペットボトルの投入口となるホッパー部Ａの後がわ上部及び後部寄り上部を比較的大きく開口でき、底板３が揺動最下位置にある時は、ペットボトルをホッパー部Ａ内に投入し易いものとなる。
【００１１】
特に、支軸４の両端部分には、左右側板１の外方に配されると共に、略細長帯板状を呈する作動アーム５の基端部分が夫々固着されて、作動アーム５は、底板３と共に揺動するように形成され、作動アーム５の先端部分には、引戻しスプリング６の一端部分が装着されて、作動アーム５及び底板３が常時上方に揺動するように引戻しスプリング６の弾発力が付勢されるので、ホッパー部Ａ内に投入されている複数のペットボトルは、重力と相俟って圧潰部Ｂにスムーズに供給できるようになる。
【００１２】
しかも、横架材の上に載置されて揺動最下位置にある底板３が上方へ揺動することによって、ホッパー部Ａ内に予め投入された使用済みペットボトルが圧潰部Ｂがわに順次送給されるように構成したので、ホッパー部Ａ内のペットボトルがホッパー部Ａ外に飛出し難くなると共に、前がわ下部の開口を介してホッパー部Ａ内のペットボトルを圧潰部Ｂにスムーズに且つ安全に送給できるようになる。
【００１３】
すなわち、使用済みペットボトルの投入、圧潰、減容作業等がより安全に行え、しかも、装置自体の構成が簡素で、取扱い易く、作業性に優れ、回収車Ｃへの搭載に最適な回収車搭載用ペットボトル圧潰装置となる。
【発明を実施するための最良の形態】
【００１４】
以下、本発明を図示例に基づいて説明すると、次の通りである。
本発明の回収車搭載用ペットボトル圧潰装置は、例えば、ゴミ収集車等の適宜回収車Ｃによって使用済みペットボトルを回収する際に、回収車Ｃの後部開口部分の下桟部分等に取外し可能に設置されるもので、使用済みペットボトルを圧潰して減容した後、回収車Ｃ内に送給できるようにしたものである。
【実施例】
【００１５】
具体的には、使用済みペットボトルが投入可能となるホッパー部Ａと、このホッパー部Ａから供給される使用済みペットボトルを圧潰すると共に、回収車Ｃの後部開口部分に固定される圧潰部Ｂとからなる。
そして、ホッパー部Ａは、一対の左右側板１と、背板２と、底板３とを有し、底板３は、その基端がわ（圧潰部Ｂがわ）に固定される支軸４を支点として先端がわが上下方向に揺動自在となるように形成されており、底板３の上方への揺動によってホッパー部Ａ内に予め投入された使用済みペットボトルが圧潰部Ｂがわに順次送給されるように構成されている。
更に、ホッパー部Ａの左右側板１には、その操作レバー部が左右側板１の外方に突出するように停止スイッチ７が夫々設けられ、一方、支軸４の両端部分には、左右側板１の外方に配される作動アーム５が夫々固着され、この作動アーム５が底板３と共に揺動するように形成されている。
しかも、底板３が揺動最下位置にある時に、作動アーム５が停止スイッチ７に当接し、停止スイッチ７がＯＦＦ状態となって、圧潰部Ｂのモーター１５の作動を阻止できるように構成されている。
【００１６】
前記ホッパー部Ａは、例えば、一対の側板１が圧潰部Ｂの後部に連設され、この一対の側板１の前がわ上部及び前部寄り上部は背板２で連結され、一対の側板１の下部は適数の適宜横架材で連結され、この横架材の上に載置可能となるように揺動自在に装着される底板３によって、一対の側板１の下部を塞げるように構成されている。すなわち、ホッパー部Ａの前がわ下部が開口されていると共に、圧潰部Ｂに連通されており、ホッパー部Ａの後がわ上部及び後部寄り上部が比較的大きく開口されており、この開口部分がペットボトルの投入口となるように構成されている。
【００１７】
前記底板３は、例えば、一対の側板１或いは圧潰部Ｂに正逆回転自在に装着される支軸４に基端部分が固着されており、その先端部分中央には、適宜係止解除手段が設けられている。この係止解除手段は、底板３が前記横架材の上に載置された時に、横架材に設けた適宜操作片に係脱自在に係止できるように構成されており、前記操作片の操作によって係止状態を解除できるように構成されている。
【００１８】
前記作動アーム５は、例えば、略細長帯板状を呈し、その基端部分が支軸４の両端部に固着されており、底板３と共に揺動するように構成されている。しかも、作動アーム５の先端部分には、引戻しスプリング６の一端部分が装着されており、作動アーム５（及び底板３）が常時上方に揺動するように弾発力が付勢されている。すなわち、前記操作片の操作によって、係止解除手段を解除せしめると、引戻しスプリング６の引戻し弾発力が開放されて、底板３が上方に揺動するように構成されている。尚、このとき、ホッパー部Ａ内に投入されている複数のペットボトルは、重力と相俟って圧潰部Ｂにスムーズに供給できるように構成されている。
【００１９】
前記停止スイッチ７は、その操作レバー部が左右側板１の外方に比較的大きく突出するように形成されており、底板３が前記横架材の上に載置されるように揺動した時（揺動最下位置にある時）に、作動アーム５が操作レバー部を押圧して、停止スイッチ７をＯＦＦ状態とし、圧潰部Ｂのモーター１５の作動を確実に阻止するように構成してある。尚、停止スイッチ７は左右どちらのものを押圧してもモーター１５の作動を確実に阻止できるようにしてある。
【００２０】
前記圧潰部Ｂは、例えば、基枠（ケーシング）と、この基枠に回転自在に横架されると共に、上下に配される一対の平行な切込圧潰ローラ１０、１１と、この一対の切込圧潰ローラ１０、１１を所定向きに回転せしめる適宜駆動手段（モーター１５）とを備え、切込圧潰ローラ１０、１１は、駆動軸１２と、この駆動軸１２に固定される複数の切込刃１３とで構成されている。しかも、切込刃１３の外周部分には、ペットボトルに孔明け可能な複数の突出刃部１４が所定間隔で配されている。
【００２１】
ところで、ペットボトル圧潰装置の具体的構成、形状、寸法、材質、回収車Ｃへの具体的装着手段、装着位置、ホッパー部Ａの具体的構成、形状、寸法、材質、配設位置、側板１の具体的構成、形状、寸法、材質、配設位置、背板２の具体的構成、形状、寸法、材質、配設位置、底板３の具体的構成、形状、寸法、材質、配設位置、支軸４の具体的構成、形状、寸法、材質、配設位置、作動アーム５の具体的構成、形状、寸法、材質、配設位置、引戻しスプリング６の具体的構成、形状、寸法、材質、配設位置、数、停止スイッチ７の具体的構成、形状、寸法、配設位置、数、圧潰部Ｂの具体的構成、形状、寸法、材質、切込圧潰ローラ１０、１１の具体的構成、形状、寸法、材質、配設位置、駆動軸１２の具体的構成、形状、寸法、材質、配設位置、切込刃１３の具体的構成、形状、寸法、材質、配設位置、数、突出刃部１４の具体的構成、形状、寸法、材質、配設位置、数、回収車Ｃの具体的構成等は、図示例のもの等に限定されることなく適宜自由に設定、変更できるものである。
【図面の簡単な説明】
【００２２】
【図１】本発明の回収車搭載用ペットボトル圧潰装置を例示する一部切欠側面図である。
【図２】本発明の回収車搭載用ペットボトル圧潰装置を例示する正面図である。
【図３】本発明の回収車搭載用ペットボトル圧潰装置を例示する背面図である。
【符号の説明】
【００２３】
Ａ    ホッパー部
１    側板                  ２    背板
３    底板                  ４    支軸
５    作動アーム            ６    引戻しスプリング
７    停止スイッチ
Ｂ    圧潰部
１０  切込圧潰ローラ        １１  切込圧潰ローラ
１２  駆動軸                １３  切込刃
１４  突出刃部              １５  モーター
Ｃ    回収車
【図１】
0004247537.tif 000002
【図２】
0004247537.tif 000003
【図３】
0004247537.tif 000004